【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
複数の番組の各々に関する番組関連情報を受信する受信ステップと、
受信された前記番組関連情報に含まれる文字列を予め定められた複数のカテゴリに分類し、ユーザの嗜好情報と、カテゴリ毎に分類された文字列の情報とに基づいて、前記複数のカテゴリの優先順位を決定する決定ステップと、
ユーザの操作に従って番組を選択する選択ステップと、
前記決定ステップで決定された優先順位が予め定められた順位よりも高いカテゴリを用いて、前記複数の番組の中から前記選択された番組に関連する関連番組を検索する検索ステップと、
検索された前記関連番組に関する情報を表示する表示ステップとを備えることを特徴とする表示方法。
【請求項２】
前記決定ステップは、番組のジャンル毎に前記複数のカテゴリの優先順位を決定し、
前記検索ステップは、前記選択された番組のジャンルにおける優先順位が予め定められた順位よりも高いカテゴリを用いて、前記関連番組を検索することを特徴とする、請求項１に記載の表示方法。
【請求項３】
前記複数のカテゴリは、人の名称のカテゴリ、物の名称のカテゴリ、場所の名称のカテゴリ、イベントの名称のカテゴリのうちの少なくとも一つのカテゴリを含むことを特徴とする、請求項１または請求項２に記載の表示方法。
【請求項４】
複数の番組の各々に関する番組関連情報を受信する受信手段と、
受信された前記番組関連情報に含まれる文字列を予め定められた複数のカテゴリに分類し、ユーザの嗜好情報と、カテゴリ毎に分類された文字列の情報とに基づいて、前記複数のカテゴリの優先順位を決定する決定手段と、
ユーザの操作に従って番組を選択する選択手段と、
前記決定手段により決定された優先順位が予め定められた順位よりも高いカテゴリを用いて、前記複数の番組の中から前記選択された番組に関連する関連番組を検索する検索手段と、
検索された前記関連番組に関する情報を表示部に表示させる表示制御手段とを備えるこ
とを特徴とする表示制御装置。
【請求項５】
前記決定手段は、番組のジャンル毎に前記複数のカテゴリの優先順位を決定し、
前記検索手段は、前記選択された番組のジャンルにおける優先順位が予め定められた順位よりも高いカテゴリを用いて、前記関連番組を検索することを特徴とする、請求項４に記載の表示制御装置。
【請求項６】
前記複数のカテゴリは、人の名称のカテゴリ、物の名称のカテゴリ、場所の名称のカテゴリ、イベントの名称のカテゴリのうちの少なくとも一つのカテゴリを含むことを特徴とする、請求項４または請求項５に記載の表示制御装置。
【手続補正２】
【補正対象書類名】明細書
【補正対象項目名】発明の名称
【補正方法】変更
【補正の内容】
【発明の名称】表示方法及び表示制御装置
【手続補正３】
【補正対象書類名】明細書
【補正対象項目名】０００１
【補正方法】変更
【補正の内容】
【０００１】
本発明は、表示方法及び表示制御装置に関する。
【手続補正４】
【補正対象書類名】明細書
【補正対象項目名】０００４
【補正方法】変更
【補正の内容】
【０００４】
本願発明に係る表示方法は、複数の番組の各々に関する番組関連情報を受信する受信ステップと、受信された前記番組関連情報に含まれる文字列を予め定められた複数のカテゴリに分類し、ユーザの嗜好情報と、カテゴリ毎に分類された文字列の情報とに基づいて、前記複数のカテゴリの優先順位を決定する決定ステップと、ユーザの操作に従って番組を選択する選択ステップと、前記決定ステップで決定された優先順位が予め定められた順位よりも高いカテゴリを用いて、前記複数の番組の中から前記選択された番組に関連する関連番組を検索する検索ステップと、検索された前記関連番組に関する情報を表示する表示ステップとを備える。
【手続補正５】
【補正対象書類名】明細書
【補正対象項目名】０００５
【補正方法】変更
【補正の内容】
【０００５】
本願発明に係る表示制御装置は、複数の番組の各々に関する番組関連情報を受信する受信手段と、受信された前記番組関連情報に含まれる文字列を予め定められた複数のカテゴリに分類し、ユーザの嗜好情報と、カテゴリ毎に分類された文字列の情報とに基づいて、
前記複数のカテゴリの優先順位を決定する決定手段と、ユーザの操作に従って番組を選択する選択手段と、前記決定手段により決定された優先順位が予め定められた順位よりも高いカテゴリを用いて、前記複数の番組の中から前記選択された番組に関連する関連番組を検索する検索手段と、検索された前記関連番組に関する情報を表示部に表示させる表示制御手段とを備える。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】変更
【補正の内容】
【００１４】
ARIB(電波産業界)で規定した「デジタル放送に使用する番組配列情報（ARIB STD-B10）」では、MPEG-2 Systems(ITU-T H.222.0、ISO/IEC 13818-1)を拡張し、番組に関連付けられた情報の一部を、EIT（イベント情報テーブル）内に格納して伝送する。EITは、セクション形式のデータ構造を持つ。セクション形式のデータは、可変長であり、所定の順序で、あらかじめ決められたデータ種（識別子や時間情報、記述子情報）が格納される。このうち、EITの記述子領域には、番組に関連付けられた情報の詳細が格納される。具体的な記述子の例をあげる。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】